(57)【特許請求の範囲】
【請求項１】
パネル形体に枠組みされた木枠（２）の表面側に接着剤層（６）を介してサイディング材（３）が重ね張りされて成る外壁パネル（１）同士を相互隣接させて設置する外壁接合構造であって、
上記各外壁パネル（１）は、接着剤層（６）がサイディング材（３）の外縁部から所定幅（Ｗ）だけサイディング材（３）の板面内方へ控えた状態で設けられ且つこの接着剤層（６）の控えられた接着剤層（６）のない領域を含んで木枠（２）の側面へ回り込むかたちで発泡性素材を用いた防水層（１２）が設けられており、
各外壁パネル（１）の隣接間で木枠（２）の側面に回り込んだ防水層（１２）同士が当接され、
各外壁パネル（１）のサイディング材（３）相互間にできる目地スペースに、乾式目地材（１０）が前記発泡性素材を用いた防水層（１２）に重合するように詰め込まれていることを特徴とする外壁接合構造。
【請求項２】
パネル形体に枠組みされた木枠（２）と、該木枠（２）の表面側に接着剤層（６）を介して重ね張りされるサイディング材（３）とを有し、上記サイディング材（３）は複数枚の割付になっていると共に、上記木枠（２）には各サイディング材（３）が隣接する部分に対応する配置でその枠内を区画する仕切桟（５）が設けられており、
上記接着剤層（６）は、仕切桟（５）に対応する部分において各サイディング材（３）の外縁部から所定幅（Ｗ）だけサイディング材（３）の板面内方へ控えた状態で設けられており、この接着剤層（６）の控えられた接着剤層（６）のない領域に発泡性素材を用いた防水層（１２）が設けられ、
各サイディング材（３）相互間にできる目地スペースに、乾式目地材（１０）が前記発泡性素材を用いた防水層（１２）に重合するように詰め込まれていることを特徴とする外壁パネル。
【請求項３】
パネル形体に枠組みされた木枠（２）と、該木枠（２）の表面側に接着剤層（６）を介して重ね張りされるサイディング材（３）と、木枠（２）に設けられた仕切桟（１６）に支持されていて前記サイディング材（３）の一辺部に沿って隣接配置される条材型建材（１５）とを有し、上記サイディング材（３）と条材型建材（１５）との隣接部分において、上記接着剤層（６）は、仕切桟（１６）に対応する部分においてサイ
ディング材（３）の外縁部から所定幅（Ｗ）だけサイディング材（３）の板面内方へ控えた状態で設けられ且つこの接着剤層（６）の控えられた接着剤層（６）のない領域を含んで条材型建材（１５）の裏面部に相当する位置まで発泡性素材を用いた防水層（１２）が設けられ、
前記サイディング材（３）と条材型建材（１５）との間にできる目地スペースに、乾式目地材（１０）が前記発泡性素材を用いた防水層（１２）に重合するように詰め込まれていることを特徴とする外壁パネル。
【発明の詳細な説明】
【０００１】
【発明の属する技術分野】
本発明は、外壁パネル及び外壁接合構造に関するものである。
【０００２】
【従来の技術】
建物等の外壁材として使用される外壁パネルは、パネル形体に枠組みされた木枠に対し、その表面側に接着剤層を介してサイディング材を重ね張りしたもので、例えば畳程度の大きさ（それ以上のものもそれ以下のものも多種ある）を有しており、これを建物躯体の外面に合わせて縦横に並べながら面一に張り付けてゆくことで建物外壁を構成させるというものである。
【０００３】
この外壁パネルの相互隣接間や、この外壁パネルと窓枠などの条材型建材との境界部などにおいては、目地詰めやコーキング等の防水処理を施す必要があるが、従来、これらの防水処理を湿式ではなく、乾式で行う方法が種々提案されている（例えば特開２００１−１１９５８号公報、特開２００１−３５３７号公報、特開２０００−１９６８号公報、特開平１１−３２４１５０号公報等参照）。
【０００４】
このようななかで本出願人も、図１１に示すような乾式による防水処理構造を採用している。
この構造では、外壁パネル１００の木枠１０１に対し、その側部隅面に、予め断面Ｌ型で舌片状に側方へ張り出すブレード１０２を取り付けておき、隣接する外壁パネル相互間に乾式目地材１０３を押し込むというものであった。
【０００５】
【発明が解決しようとする課題】
本出願人が採用していた乾式による防水処理構造では、上記したように外壁パネル１００の木枠１０１に対してブレード１０２を取り付けるための溝加工が必要となっていたため、このことが外壁パネルの製作過程で工数を増やすことに繋がり、コストを低廉化させるうえでのネックとなっていた。
【０００６】
本発明は、上記事情に鑑みてなされたものであって、製作が容易で低コスト化を推進できる外壁パネルを提供することを目的とすると共に、この外壁パネルの使用によって低コスト化と施工の容易性並びに防水作用の確実性とが得られるようにした外壁接合構造を提供することを目的とする。
【０００７】
【課題を解決するための手段】
前記目的を達成するために、本発明は次の手段を講じた。
即ち、本発明に係る外壁接合構造は、パネル形体に枠組みされた木枠の表面側に接着剤層を介してサイディング材が重ね張りされて成る外壁パネル同士を相互隣接させて設置する外壁接合構造であって、
上記各外壁パネルは、接着剤層がサイディング材の外縁部から所定幅だけサイディング材の板面内方へ控えた状態で設けられ且つこの接着剤層の控えられた接着剤層のない領域を含んで木枠の側面へ回り込むかたちで発泡性素材を用いた防水層が設けられており、
各外壁パネルの隣接間で木枠の側面に回り込んだ防水層同士が当接され、
各外壁パネルのサイディング材相互間にできる目地スペースに、乾式目地材が前記発泡性素材を用いた防水層に重合するように詰め込まれているものである。
【０００８】
一方、本発明に係る外壁パネルは、パネル形体に枠組みされた木枠と、該木枠の表面側に接着剤層を介して重ね張りされるサイディング材とを有し、上記サイディング材は複数枚の割付になっていると共に、上記木枠には各サイディング材が隣接する部分に対応する配置でその枠内を区画する仕切桟が設けられており、
上記接着剤層は、仕切桟に対応する部分において各サイディング材の外縁部から所定幅だけサイディング材の板面内方へ控えた状態で設けられており、この接着剤層の控えられた接着剤層のない領域に発泡性素材を用いた防水層が設けられ、
各サイディング材相互間にできる目地スペースに、乾式目地材が前記発泡性素材を用いた防水層に重合するように詰め込まれているものである。
【０００９】
また、本発明に係る他の外壁パネルは、パネル形体に枠組みされた木枠と、該木枠の表面側に接着剤層を介して重ね張りされるサイディング材と、木枠に設けられた仕切桟に支持されていて前記サイディング材の一辺部に沿って隣接配置される条材型建材とを有し、上記サイディング材と条材型建材との隣接部分において、上記接着剤層は、仕切桟に対応する部分においてサイディング材の外縁部から所定幅だけサイディング材の板面内方へ控えた状態で設けられ且つこの接着剤層の控えられた接着剤層のない領域を含んで条材型建材の裏面部に相当する位置まで発泡性素材を用いた防水層が設けられ、
前記サイディング材と条材型建材との間にできる目地スペースに、乾式目地材が前記発泡性素材を用いた防水層に重合するように詰め込まれているものである。
【００１０】
このようにすることで、木枠に対しては何ら溝加工を要するものではない。また、ブレードや乾式目地材等の専用部品を用いていないので、低コスト化を一層進めることができる。
のみならず、木枠とサイディング材との界面が、接着剤層だけでなく、防水層によっても止水されているので、従来の各種乾式防水処理構造に比しても、防水作用が確実となっている。
【００１１】
なお、サイディング材は、一つの木枠内にあって複数枚を割付したものとすることができる。
この場合、木枠には、各サイディング材が隣接する部分に対応する配置でその枠内を区画する仕切桟を設けることになる。
そこで、このような場合において接着剤層は、上記木枠の外周部に対応する部分だけでなく、仕切桟に対応する部分をも含めた全ての部分に対し、各サイディング材の外縁部から所定幅だけサイディング材の板面内方へ控えた状態で設けるようにする。
【００１２】
そして、この接着剤層の控えられた全ての領域に対して、防水層を設ければよいことになる。
更に、サイディング材の一辺部に対し、窓枠等の条材型建材を沿接状に設ける場合がある。
この場合、サイディング材と条材型建材との隣接部分において上記接着剤層は、サイディング材の外縁部から所定幅だけサイディング材の板面内方へ控えた状態で設けておき、この接着剤層の控えられた領域を含んで条材型建材の裏面部に相当する位置まで防水層を設けるようにする。
【００１３】
また、この場合には、サイディング材の外縁から張り出した木枠表面に対して設けられた防水層に対し、条材型建材を被覆状に当接させることができることになる。
そのため、防水層と条材型建材との間での止水性は保たれる。
これに対し、外壁パネル同士を相互隣接させて設置する場合では、各外壁パネルにおいて、木枠の側面へ回り込むかたちで防水層が延長形成されているものとする。
【００１４】
この場合には、各外壁パネルを互いに突き合わせるようにすることにより、その隣接間で木枠の側面に回り込んだ防水層同士が当接することになる。
そのため、このように互いに当接する防水層同士で、その間の止水性は保たれる。
【００１５】
【発明の実施の形態】
以下、本発明の実施の形態を、図面に基づき説明する。
図１乃至図４は、本発明に係る外壁パネル１の第１実施形態を示している。
図４から明らかなように、この外壁パネル１は、パネル形体に枠組みされた木枠２と、この木枠２の表面側に重ね張りされるサイディング材３とを有したものである。
【００１６】
この第１実施形態の外壁パネル１では、パネル内の所定高さ位置に窓開口４が設けられたものとしてあり、またサイディング材３は、この窓開口４の上部に横並びで２枚が割り付けられていると共に、窓開口４の下部でも横並びで２枚が割り付けられたものとなっており、一つの木枠２に対して複数のサイディング材３が設けられていることになる。
【００１７】
このようなことから、木枠２には、少なくとも各サイディング材３の隣接部分に対応する配置でその枠内を区画する仕切桟５が設けられている。
図１乃至図３に示すように、木枠２とサイディング材３とは、接着剤層６を介して互いに接着されている。
図１では、この外壁パネル１同士を相互隣接させた状態で連結設置した状況（図４中のＡ−Ａ線断面）を示しており、各外壁パネル１における木枠２の裏面側に間柱７を介して内壁材８が設けられたものとしており、また外壁パネル１の隣接境界をＰ（併せて図４も参照）で示している。
【００１８】
この外壁パネル１の外周部となる部分では、木枠２の外縁部がサイディング材３の外縁より側方へ半目地分だけ張り出して設けられており、外壁パネル１同士を相互隣接させることによって互いのサイディング材３相互間にできる目地スペースに、乾式目地材１０が詰め込まれている。
なお、外壁パネル１同士を連結するボルトは、木枠２において互いに平行当接する部分（上記隣接境界Ｐ）を横切る方向で貫通させるが、図１ではその図示を省略してある。
【００１９】
この図１から明らかなように、上記接着剤層６は、サイディング材３の外縁部から所定幅Ｗだけサイディング材３の板面内方へ控えた状態で設けられている。そして、この接着剤層６の控えられた領域（接着剤層６のない領域）には、防水層１２が設けられている。
この防水層１２は、木枠２の側面へも回り込むかたちで延長形成されており、その全体として断面Ｌ字状になっている。なお、図１からは防水層１２がＴ字状を呈しているように見えるが、これは上記したように外壁パネル１同士を相互隣接させたことによってＬ字同士が背会わせになり、その結果としてＴ字状を呈しているものである。
【００２０】
このように、外壁パネル１同士が互いに突き合わせ状態で隣接設置されることで、その隣接間で木枠２の側面に回り込んだ防水層１２同士が当接するので、これら両防水層１２同士で、外壁パネル１の相互間の止水性は確実に保たれることになる。
この防水層１２には、例えばＥＰＤＭ（エチレン−プロピレン−ジェンタ−ポリマー）等の発泡性素材を用いればよい。
【００２１】
一方、図２では、個々の外壁パネル１内におけるサイディング材３の相互隣接部分（図４中のＢ−Ｂ線断面）を示しており、両側のサイディング材３に跨る配置となった仕切桟５の裏面側に間柱７を介して内壁材８が設けられたものとしてある。
この図２から明らかなように、この部分でも上記接着剤層６は、両側のサイディング材３の外縁部から所定幅Ｗだけ、それぞれのサイディング材３の板面内方へ控えた状態で設けられている。そして、この接着剤層６の控えられた領域（接着剤層６のない領域）に、両側のサイディング材３に跨る配置で防水層１２が設けられている。
【００２２】
従って、一つの外壁パネル１内で相互隣接するサイディング材３の間でも、その間の止水性は確実に保たれることになる。
なお、ここの部分でも、サイディング材３の相互間には目地スペースが確保され、ここに乾式目地材１０が詰め込まれている。
図３では、窓開口４に臨んだサイディング材３の一辺部に対し、窓枠等の条材型建材１５が沿接状に設けられている部分（図４中のＣ−Ｃ線断面）を示しており、木枠２には、この条材型建材１５をバックアップする配置で仕切桟１６が設けられ、この仕切桟１６の裏面側に支持枠１７を介して内壁材８が設けられたものとしてある。
【００２３】
この部分では、仕切桟１６の外縁部がサイディング材３の外縁より側方へ大きく張り出して設けられており、この張り出した部分に条材型建材１５が取り付けられるものとなっている。
なお、図例の条材型建材１５は、網戸用及びサッシ戸（いずれも図示略）用のレール部１８をも一体的（一部のカバー部分は別体）に具備したものとしてある。
【００２４】
この図３から明らかなように、サイディング材３と条材型建材１５とが隣接する部分でも、上記接着剤層６は、サイディング材３の外縁部から所定幅Ｗだけ、サイディング材３の板面内方へ控えた状態で設けられている。
そして、この接着剤層６の控えられた領域（接着剤層６のない領域）を含んで、仕切桟１６がサイディング材３から張り出した部分の表面へもわたるように防水層１２が設けられている。
【００２５】
そのため、この防水層１２は、条材型建材１５の裏面部に相当する位置まで延長形成されていることになり、この防水層１２からすれば、この表面側に条材型建材１５が被覆状に当接されていることになる。
従って、仕切桟１６と条材型建材１５との間での止水性は保たれ、また仕切桟１６とサイディング材３との間での止水性も当然に保たれているので、結果、サイディング材３と条材型建材１５との間での止水性は保たれていることになる。
【００２６】
なお、条材型建材１５とサイディング材３との間に乾式目地材１０を設けておけば、サイディング材３と条材型建材１５との間での止水性はより一層高められる。
以上の説明から明らかなように、この外壁パネル１では、外壁パネル１の相互間、 一つの外壁パネル１内で相互隣接するサイディング材３の間、及びサイディング材３と条材型建材１５との間で、防水層１２による止水性が得られるものである。
【００２７】
殊に、木枠２（仕切桟５，１６を含む）とサイディング材３との界面は、接着剤層６と防水層１２との双方で止水されることになるので、極めて高い防水作用が得られている。
なお、図３で説明したサイディング材３と条材型建材１５との隣接部は、一つの外壁パネル１の中で設けられている場合だけに限らず、外壁パネル１の外周部と条材型建材１５とを隣接させる場合にも、略同じかたちで実施できるものである。
【００２８】
図５乃至図７は、本発明に係る外壁パネル１の第２実施形態を示している。
この第２実施形態の外壁パネル１が、上記した第１実施形態と最も異なるところの一つは、図５及び図６から明らかなように、互いに隣接するサイディング材３の相互間に目地を設けていない（図１及び図２中の乾式目地材１０がない）点にある。
【００２９】
また一つは、図７から明らかなように、条材型建材１５において、防水層１２との当接部分に複数の脚２０を設けて、防水層１２に対する条材型建材１５の当接面圧を高め、止水性を高めている点にある。
これら以外の構成及び作用効果については、上記第１実施形態と略同様であるので、ここでの詳説は省略する。
【００３０】
図８は、本発明に係る外壁パネル１の第３実施形態を示している。
この第３実施形態の外壁パネル１が、上記した第１実施形態と最も異なるところは、条材型建材１５において、防水層１２との当接部分の一部に脚２１と段差２２とを交互配置となるように設けて、防水層１２に対する条材型建材１５の当接面圧を高めると共にこれら脚２１と段差２２との間で毛管現象の破壊を狙って、全体的な止水性を高めている点にある。
【００３１】
これ以外の構成及び作用効果については、上記第１実施形態と略同様であるので、ここでの詳説は省略する。
図９は、本発明に係る外壁パネル１の第４実施形態を示している。
この第４実施形態の外壁パネル１が、上記した第１実施形態と最も異なるところは、条材型建材１５において、防水層１２との当接部分に山形の内部折れ部２３を設けて、この内部折れ部２３と防水層１２との間にできる微少隙間で毛管現象の破壊を狙って止水性を高めている点にある。
【００３２】
これ以外の構成及び作用効果については、上記第１実施形態と略同様であるので、ここでの詳説は省略する。
図１０は、本発明に係る外壁パネル１の第４実施形態を示している。
この第４実施形態の外壁パネル１が、上記した第１実施形態と最も異なるところは、条材型建材１５において、防水層１２との当接部分の一部に脚２４を設けると共に、これによって防水層１２との間にできる隙間へコーキング材２５を充填させることで、全体的な止水性を高めている点にある。
【００３３】
これら以外の構成及び作用効果については、上記第１実施形態と略同様であるので、ここでの詳説は省略する。
ところで、本発明は、上記各実施形態に限定されるものではなく、細部については適宜変更できるものである。
【００３４】
【発明の効果】
以上の説明から明らかなように、本発明に係る外壁パネルでは、木枠とサイディング材とを重ね張りする接着剤層を、サイディング材の外縁部から所定幅だけサイディング材の板面内方へ控えた状態で設けておき、この接着剤層の控えられた領域に防水層を設けているので、木枠に対する溝加工等は不要となり、製作が極めて容易で、且つ低コスト化を推進できる。
【００３５】
しかも、木枠とサイディング材との間の防水性は、接着剤層と防水層との双方で行われ、高い防水作用が得られる。
一方、この外壁パネルを用いた本発明に係る外壁接合構造では、低コスト化と施工の容易性並びに防水作用の確実性とが得られる。
また、施工後においても外壁パネルをはじめ、一部のサイディング材や条材型建材の交換が簡単にできるという利点もある。
【図面の簡単な説明】
【図１】  図４のＡ−Ａ線に相当させて外壁パネル相互の施工状態を示した拡大断面図である。
【図２】  図４のＢ−Ｂ線拡大断面図である。
【図３】  図４のＣ−Ｃ線拡大断面図である。
【図４】  本発明に係る外壁パネルの第１実施形態を示した正面図である。
【図５】  本発明に係る外壁パネルの第２実施形態を図１と同じ視点で示した断面図である。
【図６】  本発明に係る外壁パネルの第２実施形態を図２と同じ視点で示した断面図である。
【図７】  本発明に係る外壁パネルの第２実施形態を図３と同じ視点で示した断面図である。
【図８】  本発明に係る外壁パネルの第３実施形態を図３と同じ視点で示した断面図である。
【図９】  本発明に係る外壁パネルの第４実施形態を図３と同じ視点で示した断面図である。
【図１０】  本発明に係る外壁パネルの第５実施形態を図３と同じ視点で示した断面図である。
【図１１】  従来における外壁パネル相互の施工状態を示した拡大断面図である。
【符号の説明】
１    外壁パネル
２    木枠
３    サイディング材
５    仕切桟
６    接着剤層
１２    防水層
１５    条材型建材
【図１】
0004795554.tif 000002
【図２】
0004795554.tif 000003
【図３】
0004795554.tif 000004
【図４】
0004795554.tif 000005
【図５】
0004795554.tif 000006
【図６】
0004795554.tif 000007
【図７】
0004795554.tif 000008
【図８】
0004795554.tif 000009
【図９】
0004795554.tif 000010
【図１０】
0004795554.tif 000011
【図１１】
0004795554.tif 000012